(57)【要約】  本発明は、無線放射装置、特にＸ線管を設けた装置の状態を知らせるシグナリング装置であって、前記シグナリング装置は、前記放射装置の電力ケーブルの位置で接続でき、前記放射装置の電流要求を測定する手段、前記電流測定に応じて前記放射装置の状態、すなわち停止、待機または使用中を決定できる処理手段、前記検出された状態を第２の部分に向かって送信する手段を含む第１の部分と、前記第１の部分によって検出された前記放射装置の前記状態を知らせる信号手段を含む第２の部分と、を備えている。【選択図】      図２
2018521491.tif 000002
【特許請求の範囲】
【請求項１】
無線放射装置、特にＸ線管を設けた装置の状態を知らせるシグナリング装置であって、
‐  前記放射装置の電力ケーブル（９）の位置で接続でき、前記放射装置の電流要求を測定する手段（１０）、前記電流測定に応じて前記放射装置の状態、すなわち停止、待機または使用中を決定できる処理手段（１１）、前記検出された状態を第２の部分（３）に向かって送信する手段（１２）を含む第１の部分（２）と、
‐  前記第１の部分によって検出された前記放射装置の前記状態を知らせる信号手段（１３）を含む第２の部分（３）と、を備えることを特徴とするシグナリング装置。
【請求項２】
前記第１の部分（２）と前記第２の部分（３）は互いに独立したケーシング（４，５）に収納され、前記送信手段（１２）は無線リンクを含む、請求項１に記載のシグナリング装置。
【請求項３】
前記第１の部分（２）と前記第２の部分（３）との間の前記リンクは、ペアリングエラーを回避するために符号化される、請求項２に記載のシグナリング装置。
【請求項４】
前記測定手段（１０）は、前記放射装置（６）によって要求される電流の強度を測定できる電流クランプメータを含む、請求項１または２に記載のシグナリング装置。
【請求項５】
前記処理手段（１１）は少なくとも二つの閾値を含み、それらの閾値の内、前記放射装置（６）が待機状態のとき、第１の低閾値（Ｓ１）が最小電流要求よりも低く、使用中には、第２の高閾値（Ｓ２）が前記放射装置（６）の最小電流要求よりも低い、請求項１〜４の何れか１項に記載のシグナリング装置。
【請求項６】
前記処理手段（１１）は、待機状態における第１のセッティングおよび前記放射装置（６）の作動時の第１のセッティング中に前記低閾値および前記高閾値を夫々自己学習できる、請求項５に記載のシグナリング装置。
【請求項７】
前記処理手段（１１）は、前記シグナリング装置（１）が対応する前記放射装置（６）に従って、予め記録された固定の高閾値および予め記録された固定の低閾値を含むメモリを含む、請求項５に記載のシグナリング装置。
【請求項８】
前記信号手段（１３）は、可聴性タイプの信号手段および／または蛍光性タイプの信号手段および／またはメッセージディスプレイである、請求項１〜７の何れか１項に記載のシグナリング装置。
【請求項９】
前記第１の部分（２）は、前記放射装置（６）の前記オープンフィールドのエリアにおいて存在検出手段に連結された前記放射装置（６）の電源を遮断する手段を含む、請求項１〜８の何れか１項に記載のシグナリング装置。
【請求項１０】
請求項１〜９の何れか１項に記載の前記シグナリング装置（１）の少なくとも１つの第１の部分（２）によって放射された信号を受信でき、且つ幾つかのシグナリング装置（１）に関連する状態データを収集できる中央ユニット（１５）を含む、セット。
【発明の詳細な説明】
【技術分野】
【０００１】
本発明は、オープンフィールドの無線放射装置（radio electric emitting apparatus）の状態を知らせるシグナリング装置（signaling apparatus）、特にＸ線管を設けた装置の状態を知らせるシグナリング装置に関する。特に本発明は、病院または診療所の可動型の放射線装置に搭載される。
【０００２】
しかしながら、これの使用は制限されず、本装置は、特に固定されたものであろうと可動性のものであろうと任意のタイプの放射装置に広く関連することができ、研究所または工業プラントに備えられる装置からの放射は、安全性の問題を引き起こす可能性がある。
【背景技術】
【０００３】
一般的に、病院は、無線放射装置（本願の以下では＜＜放射装置＞＞という）の使用専用の部屋を有し、病院は、特に従来の放射線室またはスキャナー室やガンマ線カメラ室を備えている。
【０００４】
一般的に、これらの部屋は、固定の放射装置を装備し、且つ放射線からの保護のための手段を備えている。これらの保護手段の中でとりわけ、一般的には、イオン化放射線の存在の可能性について知らせる、特に文字による受動的な標識が提供されている。相補的に、これらの部屋は、放射装置が作動中か否かを示す蛍光パネルも含んでいる。放射装置の受け入れ専用のこれらの部屋は、指定のセットアップ作業や、特に蛍光パネルと放射装置との間に敷設されるケーブルを必要とする。
【０００５】
高価でかつ装備するためにその部屋の一時的な閉鎖を必要とするが、この解決策は、比較的に満足のいくものである。それにもかかわらず、可動性放射装置にとって適切ではなく、実際に、一つの部屋から他の部屋へ容易に移動できる一定数の放射装置があり、非専用室内、例えば操作室内でしばしば使用される。
【０００６】
これらの放射装置の中に、例えばＸ線管または画像増強管を設けた装置があり、後者は、操作室から他の部屋へ必要に応じて移動される。
【０００７】
特に非専用室における放射装置の使用は、放射線の存在のリスクに関して情報提供する通知手段がないので、医療スタッフおよび患者の安全性に問題がある。
【０００８】
もちろん、放射装置を受け入れる可能性がある全ての部屋で被ったリスクを示すことが可能であり、したがって、全ての部屋の一定の標識は、施設内で移動を困難にするかまたはユーザへの警告の影響を弱め、特にこれらの部屋は最終的に時々放射線を被ることになる。
【発明の概要】
【発明が解決しようとする課題】
【０００９】
本発明の第１の目的は、上述の従来の技術に関連する技術的問題点の全てまたは一部を解決することである。
【００１０】
本発明の他の目的は、なんら部屋の特定の配置を必要とすることなくその部屋の放射装置の存在下で放射線放射を知らせることを可能とする、シグナリング装置を提案することである。
【００１１】
本発明の他の目的は、任意のタイプの固定のまたは可動性の放射装置に対して迅速かつ信頼できる方法で適合されることができる、シグナリング装置を提案することである。
【００１２】
本発明の他の目的は、部屋への全ての立ち入り口で可視であるために標識が複数あり、且つ容易に移動できる、シグナリング装置を提案することである。
【００１３】
本発明の他の目的は、特に工業プラントにおいて、被爆のリスクがある場合に放射装置を停止することができる、シグナリング装置を提案することである。
【課題を解決するための手段】
【００１４】
本発明は、無線により、放射装置、特にＸ線管を設けた装置の状態を知らせるシグナリング装置であって、前記シグナリング装置は、
‐  前記放射装置の電力ケーブルの位置で接続でき、前記放射装置の電流要求を測定する手段、前記電流測定に従って前記放射装置の状態、すなわち停止、待機または使用中を決定できる処理手段、前記検出された状態を第２の部分に向かって送信する手段を含む第１の部分と、
‐  前記第１の部分によって検出された前記放射装置の前記状態を知らせる信号手段を含む第２の部分と、を備えている。
【００１５】
用語＜＜無線による放射装置＞＞は、本発明の文脈において、構造体から無線放射を発生する任意の装置を定義している。
【図面の簡単な説明】
【００１６】
本発明は、非制限的な例示として提供された添付図面を参照して詳細な実施の形態の記載を読むことによってより良く理解される。
【図１】本発明に係るシグナリング装置の実施の形態の概略図である。
【図２】部屋に配置された放射装置の上方に位置されたシグナリング装置の一実施の形態の斜視図である。
【図３】放射装置の状態に応じた、その放射装置の電流のグラフである。
【図４】一つの中心ユニットを有する二つのシグナリング装置を含むセットの一例の図である。
【発明を実施するための形態】
【００１７】
本発明は、無線により放射装置の状態を知らせるシグナリング装置の保護を目的とする。主に図１を参照すると、概略的に表示されたシグナリング装置１の一実施の形態が表されている。
【００１８】
このシグナリング装置１は、二つの部分、すなわち放射装置の電力ケーブルの位置で接続される第１の部分２と、部屋への立ち入り部の前に有利に配置される第２の部分３と、を備えている。
【００１９】
好ましくは、図１に表されるように、これら二つの部分２と３は、夫々別個のケーシング４と５内に配置されるが、他の可能な実施の形態では、シグナリング装置１の全ての要素が単一のケーシングに組み込まれる。
【００２０】
放射装置６の上で作動時のシグナリング装置１を表す図２を参照すると、第１の部分２が装置の電源７と電力ケーブル９のプラグ８との間に接続されることがわかる。
【００２１】
第１の部分２は、前記放射装置６の電流要求を測定する手段１０を備えている。好ましくは、これらの測定手段１０は、放射装置によって必要とされる電流の強度を測定することができる電流クランプメータよりなる。そうだとすれば、前記電流クランプメータの代わりに、当業者に既知の他の電流測定装置が想定されてもよい。
【００２２】
第１の部分２は、測定装置１０によって実行される電流測定に従って、前記放射装置の状態、すなわち停止時、待機時または使用時を決定できる処理手段１１をさらに備えている。
【００２３】
有利なことに、処理手段１１は、放射装置６の待機状態での第１の設定および動作状態での第１の設定中に夫々低閾値と高閾値を自己学習できる。
【００２４】
図３を参照すると、放射装置６の状態に応じて、放射装置６、例えば画像増強管の電流のニーズのグラフが表されている。この画像増強管に対して、放射装置６が待機中であるときの第１のニーズレベルがあり、次に使用中の同じ装置に対応する第２のレベルがある。
【００２５】
本願において、待機は、差し込まれているが放射線を放射していないときの放射装置６である状態を意味している。しかしながら、この待機状態において、放射装置６は、コマンドまたは計算を実行する。さらに、＜＜使用中＞＞という表現は、放射装置６が放射線を放射する状態を意味している。
【００２６】
処理手段１１は、待機状態のために必要な電流量未満の第１の低閾値Ｓ１を自動的に生成でき、この閾値Ｓ１は、放射装置６が放射線を放射しそうであることを決定することができ、第２の高閾値Ｓ２は、Ｓ１よりも高くかつ使用中の放射装置の最小の電流要求よりも低い電流値を表している。有利なことに、閾値Ｓ２の値は、Ｓ１の値に比例する。電流が益々過剰になると、この第２の閾値Ｓ２は、放射装置６が放射しているか放射の待機をしているかを決定できる。
【００２７】
したがって、好適な実施の形態では、処理手段は、放射装置が待機状態のときに第１の低閾値Ｓ１が最小電流要求よりも低いこと第２の高閾値Ｓ２が使用中の装置の最小電流要求よりも低いことの少なくとも二つの閾値を含んでいる。しかしながら、単純な変形例では、Ｓ２に対応するただ一つの閾値を含む処理手段１１が提供される。
【００２８】
逆に、他の変形例では、Ｓ１とＳ２の間の中間値に対応する第３の閾値Ｓ３がさらに設けられ、この第３の閾値Ｓ３は、放射のための待機時の電流要求と放射時の電流要求を区別する。この閾値Ｓ３は、放射装置のさらなる状態、すなわち放射のための準備について知らせることができる。
【００２９】
他の実施の形態では、処理手段１１は、自己学習手段を含まず、代わりにシグナリング装置１が対応する放射装置に従って予め記録された固定高閾値と予め記録された固定低閾値を含むメモリを含んでいる。
【００３０】
第１の部分２は、放射装置６の検出された状態を第２の部分３に送信する手段１２をさらに含んでいる。
【００３１】
例示の実施の形態では、第１の部分２と第２の部分３は互いに独立したケーシング４と５に収納されており、前記送信手段１２は、無線リンクを含んでいる。
【００３２】
この特徴は、ケーブルが拘束されること無く、その部屋への立ち入り部から目に見える位置に信号手段（signaling means）１３を含む第２の部分２を配置することを可能とするので、特に興味深い。これに関して、ケーシング５は、第２の部分２の自律性を保証することを可能とするバッテリーを収納できる。
【００３３】
それ自体既知の方法で、無線送信手段１２は、例えばブルートゥースタイプまたはＮＦＣタイプの無線送信器／受信機からなっている。任意ではあるが、二つの部分２と３の間のリンクは、インターフェアレンスおよび／または例えば地理的に近接する部屋に配置される、異なるシグナリング装置１間のペアリングエラーのリスクを回避するように符号化されることができる。
【００３４】
好適には、信号手段１３は、蛍光性および／または可聴性である。好適な第１の実施の形態によれば、着色信号コーディングを得ることができる少なくとも一個のランプ１４が第２の部分３の高さにある。他の実施の形態によれば、第２の部分３は、特に第１の部分２によって識別され、且つ送信される放射装置６の状態に対応するテキストを表示できるディスプレイを備えている。
【００３５】
ここで図４を参照すると、幾つかの放射装置６を備える部屋があり、各放射装置６は、シグナリング装置１に接続される。この実施の形態では、各放射装置６の状態に従って１つの信号またはメッセージを表示することができる中央ディスプレイユニット１５が設けられている。
【００３６】
このように、中央ユニット１５は、その部屋で測定された、何れかの放射装置が到達した最も高い状態の度合いに対応する信号を表示し、最も高い状態は、もちろん使用中の放射装置６である。
【００３７】
好ましくは、中央ユニット１５は、その部屋に存在するシグナリング装置１の第１の部分２の全てと対となる第２の部分３からなっている。
【００３８】
一変形例では、中央ユニット１５は、中央ユニット１５が各装置１のコードまたは名前で識別されて接続される各シグナリング装置１の状態を別々に表示することもできる。
【００３９】
このように、本発明は、シグナリング装置１の少なくとも１つの第１の部分２によって放射される信号を受信でき、且つ幾つかのシグナリング装置に関連する状態のデータを収集できる中央ユニットを含む一セットを保護することを目的としている。
【００４０】
一変形例では、決定された期間を通して放射装置の使用時間を夫々の放射装置毎にまたはエリア毎に監視する手段を処理手段１１の位置に備える装置１が提供される。このために、各装置の使用履歴は、異なる関連する装置に関連するデータの全てを収集する中央ユニットに送信される。以降、これらのデータは、リスク研究を実行するためおよび可変リスクを有するエリアを決定するため、または放射装置のメンテナンスの作業をスケジュール化するために処理される。
【００４１】
もちろん、本発明の他の特徴も、請求項によって定義される本発明の範囲から離れることなく考慮され得る。
【００４２】
一例として、一変形例のシグナリング装置１は、放射装置のオープンフィールドのエリアにおいて存在検出手段に連結される放射装置の電源を切断する手段を含む第１の部分を備えている。特に、これらの検出手段は、特にドア通路に位置するスポットタイプのものでよく、あるいは容量検出器によって構成されてもよい。
【符号の説明】
【００４３】
１  シグナリング装置
２  第１の部分
３  第２の部分
４、５  ケーシング
６  放射装置
７  電源
８  プラグ
９  電力ケーブル
１０  測定手段
１１  処理手段
１２  送信手段
１３  信号手段
１４  ランプ
１５  中央ディスプレイユニット
【図１】
2018521491.tif 000003
【図２】
2018521491.tif 000004
【図３】
2018521491.tif 000005
【図４】
2018521491.tif 000006
【国際調査報告】
2018521491.tif 000007
2018521491.tif 000008
2018521491.tif 000009
2018521491.tif 000010